(57)【特許請求の範囲】
【請求項１】
前面板の両縁から後方へ一対の側板を突出した前面枠材と、前面枠材の後側開口部に内嵌して、後面板の両縁から前方へ一対の側板を突出した後面枠材と、前面枠材及び後面枠材の側板どうしを連結する連結具と、前面枠材及び後面枠材で囲まれる空間に充填した断熱材と、後面枠材の後面板及び前面枠材の両側板を覆うカバー材とを備えた断熱枠体において、前記前面枠材の両側板に、外側が窪むと共に内側が隆起する複数個の連結具用座部を点在させ、該座部の外側の窪み部に前記連結具の頭部を没入させて該座部と前記後面枠材の側板とを連結したことを特徴とする断熱枠体。
【発明の詳細な説明】
【０００１】
【発明の属する技術分野】
本発明は、貯蔵庫の仕切枠等に用いる断熱枠材に関するものである。
【０００２】
【従来の技術】
従来の断熱枠材１には、図６に示す如く、前面板２ａの両縁から後方へ一対の側板２ｂ，２ｂを突出した前面枠材２と、前面枠２の後側開口部に内嵌して、後面板３ａの両縁から前方へ一対の側板３ｂ，３ｂを突出した後面枠材３と、前面枠材２及び後面枠材３の側板２ｂ，３ｂどうしを連結するリベット等の連結具４と、前面枠材２及び後面枠材３で囲まれる空間に充填した断熱材５と、後面枠材３の後面板３ａ及び前面枠材２の両側板２ｂ，２ｂを覆うカバー材６とを備えたものがある。更に、断熱枠材１は、冷蔵庫に用いるときには、前面板２ａの裏面側に結露防止ヒータ７を設ける場合がある。断熱枠材１は、貯蔵庫の仕切枠等に用いるとき、貯蔵庫内側にカバー材６の後面６ａを臨ませると共に、貯蔵庫外側に前面枠材２の前面板２ａを臨ませる状態となる。
【０００３】
【発明が解決しようとする課題】
前記断熱枠材１には、次のような問題点や要請があった。
（１）リベット等の連結具４は、頭部４ａが前面枠材２の側板２ｂ，２ｂの外側に突出した状態となっている。この突出した頭部４ａは、連結具４で連結した前面枠材２及び後面枠材３にカバー材６を嵌め込んで覆うときに邪魔となり、嵌め込み作業を難しくすると共にカバー材６の一部を破損させることがある。
（２）冷蔵庫に用いるときには、結露防止ヒータ７の発熱容量を小さくするために、カバー材６の後面６ａから前面枠材２の前面板２ａへ伝わる冷熱量を少なくしたい要請がある。また、温蔵庫に用いるときには、カバー材６の後面６ａから前面枠材２の前面板２ａへ伝わる熱量を少なくして、前面板２ａの昇温を抑制したい要請がある。
【０００４】
本発明は、上記問題点を解決して上記要請に応えることができる断熱枠材の提供を目的とする。
【０００５】
【課題を解決するための手段】
上記目的を達成するために本発明が採用した手段は、前面板の両縁から後方へ一対の側板を突出した前面枠材と、前面枠材の後側開口部に内嵌して、後面板の両縁から前方へ一対の側板を突出した後面枠材と、前面枠材及び後面枠材の側板どうしを連結する連結具と、前面枠材及び後面枠材で囲まれる空間に充填した断熱材と、後面枠材の後面板及び前面枠材の両側板を覆うカバー材とを備えた断熱枠体において、前記前面枠材の両側板に、外側が窪むと共に内側が隆起する複数個の連結具用座部を点在させ、該座部の外側の窪み部に前記連結具の頭部を没入させて該座部と前記後面枠材の側板とを連結したことである。また、カバー材の後面から前面枠材の前面板への伝熱量を抑制するために、前記前面板の側板に、前面枠材の長手方向へ延びる複数の長孔等の孔を開設することもある。
【０００６】
本発明にあっては、座部の窪み部に没入した連結具の頭部が、前面枠材の側板の外面から突出しないので、連結具で連結した前面枠材及び後面枠材にカバー材を嵌め込んで覆うときに、邪魔となったり接触したりすることはない。更に、前面枠材及び後面枠材は点在している連結具用座部で部分的に接触しているため、両者間の接触伝熱面積が小さくなり、伝熱量を抑制できる。また、前面板の側板に孔を開設した場合には、この側板を伝熱するときの伝熱通路の面積が小さくなり、伝熱量を抑制できる。
【０００７】
【発明の実施の形態】
以下、本発明に係る断熱枠体（以下、「本発明断熱枠体」という）を図面に示す実施の形態に基づいて説明する。図１乃至図３は、本発明断熱枠体の実施の形態を示すものであって、図１は横断面図、図２は斜視図、図３は組立途中を示す横断面図である。
【０００８】
本発明断熱枠体１１は、前面枠材１２と、前面枠１２の後側開口部１２ｃ（図３参照）に内嵌した後面枠材１３と、前面枠材１２と後面枠材１３とを連結するリベット等からなる複数本の連結具１４と、前面枠材１２及び後面枠材１３で囲まれる空間に充填した断熱材１５と、カバー材１６とを備えている。前面枠材１２は、ステンレス鋼又はアルミニューム等の金属板等から成形され、前面板１２ａの両縁から後方へ一対の側板１２ｂ，１２ｂを突出した横断面略コ字状のものである。後面枠材１３では、ステンレス鋼又はアルミニューム等の金属板等から成形され、後面板１３ａの両縁から前方へ一対の側板１３ｂ，１３ｂを突出した横断面略コ字状のものである。冷蔵庫用として用いるとき、本発明断熱枠体１１は、前面枠材１２の前面板１２ａの裏面に添着するようにして結露防止ヒータ１７が配置される。
【０００９】
本発明断熱枠体１１の改良点は、前面枠材１２の両側板１２ｂ，１２ｂに、外側が窪むと共に内側が隆起する複数個の連結具用座部１８，１８，…を前面枠材１２の長手方向に沿って点在させ、各連結具用座部１８の外側の窪み部１８ａに連結具１４の外側頭部１４ａの全体を没入させて座部１８の底部１８ｂと後面枠材１３の側板１３ｂとを連結したことである。各連結具用座部１８は、前面枠材１２の側板１２ｂをプレス加工等で截頭円錐状等に打ち出す等して形成されている。隣接する座部１８，１８の間は、前面枠材１２の側板１２ｂと後面枠材１３の側板１３ｂとの間に隙間１９が形成され、両側板１２ｂと１３ｂとの接触を絶っている。リベット等からなる連結具１４は、底部１８ｂ及び側板１３ｂの連結具用孔を軸部１４ｂが貫通して、両頭部１４ａ，１４ａで底部１８ｂ及び側板１３ｂを挟圧して連結している。
【００１０】
前記前面枠材１２は、両側板１２ｂ，１２ｂに、前面枠材長手方向へ延びる複数個の長孔等の孔２０を、長手方向へ一列状態又は複数列状態で開設してある。前面枠材１２は、複数個の孔２０が無い場合に比べて、側板１２ｂを伝わる熱の伝熱通路の面積が小さくなり、前面板１２ａへ伝達する伝熱量を抑制できる。
【００１１】
前記カバー材１６は、硬質塩化ビニル樹脂等の合成樹脂素材から成形され、後面板１６ａの両縁から前方へ一対の側板１６ｂ，１６ｂを突出した横断面略コ字状のものである。カバー材１６は、連結具１４で連結した後面枠材１３及び前面枠材１２を後側から嵌着して、後面枠材１３の後面板１３ａ及び前面枠材１２の両側板１２ｂ，１２ｂを覆っている。カバー材１６は、内隅部に形成した各溝部１６ｃに、前面枠材１２の側板１２ｂの先端部を嵌入させ、連結具１４で連結した前面枠材１２及び後面枠材１３との一体化を図っている。前記断熱材１５は、発泡ウレタン樹脂やガラス繊維等からなり、前記隙間１９にも必要に応じて充填されている。
【００１２】
前記本発明断熱枠体１１の組み立ては、必要に応じて結露防止ヒータ１７を添着した前面枠材１２と後面枠材１３とをリベット等からなる複数本の連結具１４で連結し、連結した両者１２，１３の剛性を増し、次に、後面枠材１３及び前面枠材１２に後側からカバー材１６を嵌着し、最後に、前面枠材１２及び後面枠材１３で囲まれる空間に発泡樹脂素材を注入して発泡させて断熱材１５を形成して本発明断熱枠体１１を完成する。この空間に注入された発泡樹脂素材の一部は、孔２０を介して隙間１９へ導かれ、隙間１９に充填される。ガラス繊維等のように先に充填する断熱材１５の場合には、前面枠材１２に断熱材１５を予め充填した後に、前面枠材１２と後面枠材１３とを複数本の連結具１４で連結する。
【００１３】
前記本発明断熱枠体１１は、連結具用座部１８の窪み部１８ａに没入した連結具１４の外側頭部１４ａが、前面枠材１２の側板１２ｂの外面から突出しないため、連結具１４で連結した前面枠材１２及び後面枠材１３にカバー材１６を嵌め込んで覆うときに、ベット頭部１４ａが邪魔となったり接触したりすることがない。また、本発明断熱枠体１１は、前面枠材１２と後面枠材１３とが点在している連結具用座部１８で部分的に接触して隙間１９を形成しているため、両者間１２，１３の接触伝熱面積が小さくなり、前面枠材１２の前面板１２ａへ伝わる伝熱量を抑制できる。更に、本発明断熱枠体１１は、前面板１２の側板１２ｂに複数個の孔２０を開設した場合には、この側板１２ｂを伝熱するときの伝熱通路の面積が小さくなり、前面枠材１２の前面板１２ａへ伝わる伝熱量を抑制できる。そのため、本発明断熱枠体１１を冷蔵庫に用いるときには、結露防止ヒータ１７の発熱容量を小さくすることが可能となり、また、温蔵庫に用いるときには、前面枠材１２の前面板１２ａの昇温を抑制できる。
【００１４】
図４は、本発明断熱枠体を縦枠１１として用いて冷蔵庫３０の正面開口部３０ａに配置した実施例を示すものである。図５は、縦枠１１及び横枠２１の構成部材を分解して示す斜視図である。横枠２１は、前面板２２ａの両縁から後方へ一対の側板２２ｂ，２２ｂを突出した前面枠材２２と、前面枠２２を後側から外嵌したカバー材２３と、前面枠材２２及びカバー材２３で囲まれる空間に充填した発泡ウレタン樹脂やガラス繊維等からなる断熱材（図示略）とを備えている。横枠２１の前面枠材２２の各側板２２ｂには、複数個の孔２０が開設され、前面枠材２２の前面板２２ａへ伝わる伝熱量を抑制するようにしてある。
【００１５】
前記縦枠１１は、後面に棚支柱２５，２５が取着され、冷蔵庫３０の内部に配置する棚２６を棚支柱２５，２５で支持できるようにしてある。棚支柱２５は、図２に示す如く、タッピングビス２７等を用いて、縦枠１１の後面枠材１３の後面板１３ａに連結し、棚２６の載置荷重を縦枠１１で受けるようにしてある。
【００１６】
【発明の効果】
本発明断熱枠体は、カバー材の嵌め込み作業を楽にしてカバー材の損傷を防止できる。更に、カバー材の後面と前面枠材の前面板との間の伝熱量を抑制して、冷蔵庫に用いるときに備える結露防止ヒータの容量を小さくでき、また温蔵庫に用いるときに庫外に露出する前面板の昇温を抑制することが可能となる。
【図面の簡単な説明】
【図１】本発明断熱枠体の実施の形態を示す横断面図である。
【図２】同実施の形態における斜視図である。
【図３】同実施の形態において、本発明断熱枠体を組立てる途中を示す横断面図である。
【図４】本発明断熱枠体を縦枠に用いた場合の冷蔵庫を示す斜視図である。
【図５】冷蔵庫に用いる縦枠と横枠とを分解して示す斜視図である。
【図６】従来の断熱枠体を示す横断面図である。
【符号の説明】
１２…前面枠材、１２ａ…前面板、１２ｂ…側板、１３…後面枠材、１３ａ…後面板、１３ｂ…側板、１４…連結具、１４ａ…頭部、１５…断熱材、１６…カバー材、１８…連結具用座部、１８ａ…窪み部、２０…孔
【図１】
0004147006.tif 000002
【図２】
0004147006.tif 000003
【図３】
0004147006.tif 000004
【図４】
0004147006.tif 000005
【図５】
0004147006.tif 000006
【図６】
0004147006.tif 000007